(57)【要約】【課題】操作者が面倒な手間や作業を必要とせずに被印字媒体の印字領域のサイズに応じて画像情報と文字情報とを印字領域内にバランスよく配置して見栄えよく印字ができる印字装置を提供する。【解決手段】印字装置には幅狭の印字テープと幅広の印字テープが装填可能とされており、幅狭の印字テープが装填されていることが判断された場合（ステップＳ６のＹＥＳ）、２次元コードのコードシンボルの画像情報と文字情報とが印字テープの長さ方向に沿って横配置で印字され（ステップＳ７）、幅広の印字テープが装填されていることが判断された場合（ステップＳ６のＮＯ）、２次元コードのコードシンボルの画像情報と文字情報とが印字テープの幅方向に並行にした縦配置で印字される（ステップＳ８）。【選択図】図４
2007253546.tif 000002
【特許請求の範囲】
【請求項１】
被印字媒体に画像情報と文字情報とを印字する印字装置であって、
被印字媒体に印字を行う印字手段と、
印字領域のサイズを指定するサイズ指定手段、あるいは印字領域のサイズを検出するサイズ検出手段と、
前記サイズ指定手段により指定され、あるいは前記サイズ検出手段により検出されたサイズに応じて、所定印字サイズの画像情報と所定印字属性の文字情報を横並びで配置する横配置、又は所定印字サイズの画像情報と所定印字属性の文字情報を縦並びで配置する縦配置を自動的に選択する配置選択手段と、
前記配置選択手段によって選択された配置に従って所定印字サイズの前記画像情報及び所定印字属性の前記文字情報を前記印字手段によって被印字媒体に印字させる制御手段と、
を備えることを特徴とする印字装置。
【請求項２】
更に、所定の情報をコード化して所定印字サイズのコードシンボルの画像情報に変換する変換手段と、
前記所定の情報を複数に分割する情報分割手段を備え、
前記制御手段は、前記サイズ指定手段によって指定され、あるいは前記サイズ検出手段により検出された印字領域のサイズ内に所定印字属性の前記文字情報及び前記変換手段によって変換された所定印字サイズの画像情報が横並び方向に収まらない場合、前記分割手段によって前記所定の情報を複数に分割させるとともに、その分割された情報を前記変換手段によって複数個のコードシンボルの画像情報に変換させ、その複数個のコードのシンボルの画像情報を縦配置にするとともに、その縦配置にした画像情報と所定印字属性の文字情報とを横配置にして印字させることを特徴とする請求項１に記載の印字装置。
【請求項３】
更に、前記制御手段は、前記文字情報の印字属性としての文字サイズ及び／又は文字間隔を変更することにより前記文字情報の横配列方向のサイズを調整することを特徴とする請求項２に記載の印字装置。
【請求項４】
更に、所定の情報をコード化して所定印字サイズのコードシンボルの画像情報に変換する変換手段と、
前記所定の情報を複数に分割する情報分割手段を備え、
前記制御手段は、前記サイズ指定手段によって指定され、あるいは前記サイズ検出手段により検出された印字領域のサイズ内に所定印字属性の前記文字情報及び前記変換手段によって変換された所定印字サイズの画像情報が縦並び方向に収まらない場合、前記分割手段によって前記所定の情報を複数に分割させるとともに、その分割された情報を前記変換手段によって複数個のコードシンボルの画像情報に変換させ、その複数個のコードのシンボルの画像情報を横配置にするとともに、その横配置にした画像情報と所定印字属性の文字情報とを縦配置にして印字させることを特徴とする請求項１に記載の印字装置。
【請求項５】
更に、前記制御手段は、前記文字情報の印字属性としての文字サイズ、行間隔及び／又は行数を変更することにより前記文字情報の縦配列方向のサイズを調整することを特徴とする請求項４に記載の印字装置。
【請求項６】
前記サイズ検出手段は、前記被印字媒体としてのテープ状被印字媒体の幅を検出する幅検出手段で構成し、
前記制御手段は、前記テープ状被印字媒体の幅方向を縦並び方向とし、前記テープ状被印字媒体の幅方向に直交する方向を横並び方向として、前記画像情報と前記文字情報が印字されるように制御することを特徴とする請求項１ないし５の何れかに記載の印字装置。
【請求項７】
前記サイズ指定手段は、前記被印字媒体としてのテープ状被印字媒体の長さ方向に対応して印字領域の長さを指定するテープ長指定手段で構成し、
前記制御手段は、前記テープ状被印字媒体の長さ方向を横並び方向とし、前記テープ状被印字媒体の長さ方向に直交する方向を縦並び方向として、前記画像情報と前記文字情報が印字されるように制御することを特徴とする請求項１ないし５の何れかに記載の印字装置。
【発明の詳細な説明】
【技術分野】
【０００１】
本発明は、２次元コードのコードシンボルなどの画像情報と文字情報とを共に印字する印字装置に関する。
【背景技術】
【０００２】
ＱＲコードと呼ばれる２次元コードが広く用いられており、従来、２次元コードのシンボルを文字列と共にシート上に印字する印字装置が提案されている（下記の特許文献１）。この印字装置では、名刺サイズのシートに氏名、会社名や住所などを印字するとともに、その名刺シートの所定の領域に、電話番号、ファクシミリ番号、ＵＲＬアドレスまたは電子メールアドレス等の文字列と、それらの文字情報を２次元コードに符号化した２次元コードのシンボル画像を印字して名刺を作成するものである。
【特許文献１】特開２００３−１５４７７４号公報
【発明の開示】
【発明が解決しようとする課題】
【０００３】
ところで、テープ状被印字媒体に２次元コードのコードシンボルの画像情報と文字情報とを共に印字してラベルを作成し、そのラベルを名刺や種々の書類に貼着したい場合がある。そのような場合に、２次元コードのシンボルと文字とを限られた媒体上のスペースに収めて見栄えよく印字することが望まれるが、テープ状被印字媒体には幅広のものや幅狭のものなど異なる幅のものが用意されており、それら大小異なる印字領域に２次元コードのシンボル画像と文字情報とをバランスよく配置して印字することは操作者にとって面倒な手間と作業を必要とする。
【０００４】
本発明は上記問題点を解決するものであり、操作者が面倒な手間や作業を必要とせずに被印字媒体の印字領域のサイズに応じて画像情報と文字情報とを印字領域内にバランスよく配置して見栄えよく印字ができる印字装置を提供することを目的とする。
【課題を解決するための手段】
【０００５】
本発明の印字装置は、被印字媒体に画像情報と文字情報とを印字する印字装置であって、被印字媒体に印字を行う印字手段と、印字領域のサイズを指定するサイズ指定手段、あるいは印字領域のサイズを検出するサイズ検出手段と、前記サイズ指定手段により指定され、あるいは前記サイズ検出手段により検出されたサイズに応じて、所定印字サイズの画像情報と所定印字属性の文字情報を横並びで配置する横配置、又は所定印字サイズの画像情報と所定印字属性の文字情報を縦並びで配置する縦配置を自動的に選択する配置選択手段と、前記配置選択手段によって選択された配置に従って所定印字サイズの前記画像情報及び所定印字属性の前記文字情報を前記印字手段によって被印字媒体に印字させる制御手段とを備えることを特徴とする。
【０００６】
また、前記印字装置において、更に、所定の情報をコード化して所定印字サイズのコードシンボルの画像情報に変換する変換手段と、前記所定の情報を複数に分割する情報分割手段を備え、前記制御手段は、前記サイズ指定手段によって指定され、あるいは前記サイズ検出手段により検出された印字領域のサイズ内に所定印字属性の前記文字情報及び前記変換手段によって変換された所定印字サイズの画像情報が横並び方向に収まらない場合、前記分割手段によって前記所定の情報を複数に分割させるとともに、その分割された情報を前記変換手段によって複数個のコードシンボルの画像情報に変換させ、その複数個のコードのシンボルの画像情報を縦配置にするとともに、その縦配置にした画像情報と所定印字属性の文字情報とを横配置にして印字させることを特徴とする。
【０００７】
また、前記印字装置において、更に、前記制御手段は、前記文字情報の文字サイズ及び／又は文字間隔を変更することにより前記文字情報の横配列方向のサイズを調整することを特徴とする。
【０００８】
また、前記印字装置において、更に、所定の情報をコード化して所定印字サイズのコードシンボルの画像情報に変換する変換手段と、前記所定の情報を複数に分割する情報分割手段を備え、前記制御手段は、前記サイズ指定手段によって指定され、あるいは前記サイズ検出手段により検出された印字領域のサイズ内に所定印字属性の前記文字情報及び前記変換手段によって変換された所定印字サイズの画像情報が縦並び方向に収まらない場合、前記分割手段によって前記所定の情報を複数に分割させるとともに、その分割された情報を前記変換手段によって複数個のコードシンボルの画像情報に変換させ、その複数個のコードのシンボルの画像情報を横配置にするとともに、その横配置にした画像情報と所定印字属性の文字情報とを縦配置にして印字させることを特徴とする。
【０００９】
また、前記印字装置において、更に、前記制御手段は、前記文字情報の文字サイズ、行間隔及び／又は行数を変更することにより前記文字情報の縦配列方向のサイズを調整することを特徴とする。
【００１０】
また、前記印字装置において、前記サイズ検出手段は、前記被印字媒体としてのテープ状被印字媒体の幅を検出する幅検出手段で構成し、前記制御手段は、前記テープ状被印字媒体の幅方向を縦並び方向とし、前記テープ状被印字媒体の幅方向に直交する方向を横並び方向として、前記画像情報と前記文字情報が印字されるように制御することを特徴とする。
【００１１】
また、前記印字装置において、前記サイズ指定手段は、前記被印字媒体としてのテープ状被印字媒体の長さ方向に対応して印字領域の長さを指定するテープ長指定手段で構成し、前記制御手段は、前記テープ状被印字媒体の長さ方向を横並び方向とし、前記テープ状被印字媒体の長さ方向に直交する方向を縦並び方向として、前記画像情報と前記文字情報が印字されるように制御することを特徴とする。
【発明の効果】
【００１２】
本発明によれば、被印字媒体の印字領域のサイズが指定され、あるいは検出されると、その印字領域のサイズに応じて、所定印字サイズの画像情報と所定印字属性の文字情報の配置が横配置あるいは縦配置に決められて被印字媒体の印字領域に印字される。したがって、操作者が面倒な手間や作業を必要とせずに、印字領域内に無駄なスペースを生じさせずにバランスよく画像情報と文字情報を配置することができ、見栄えのよいラベルを作成することができる。
【００１３】
そして、画像情報が所定の情報をコード化したコードシンボルの画像情報の場合、指定され、あるいは検出された印字領域のサイズ内に所定印字サイズのコードシンボルの画像情報と所定印字属性の文字情報が横配置方向あるいは縦配置方向に収まらないときには、その所定の情報を分割して複数個のコードシンボルの画像情報とし、その複数個のコードシンボルの画像情報を縦配置あるいは横配置にして画像情報のサイズを調整して印字を行うことにより、操作者が面倒な手間や作業を必要とせずに、印字領域内に無駄なスペースを生じさせずにバランスよく画像情報と文字情報を配置することができ、見栄えのよいラベルを作成することができる。
【発明を実施するための最良の形態】
【００１４】
以下、本発明の実施形態について図面を参照して説明する。図１は本発明の実施形態に係る印字装置の外観を示す平面図、図２はその印字装置に使用するテープカセットの外観及び印字装置の内部構造の一部を示す斜視図である。図１及び図２に示すように、印字装置１は、装置本体２の上面にキー入力部３、表示部４、および開閉蓋５を備えている。開閉蓋５の内側には印字テープ３１及びインクリボン３５を収容したテープカセット２１を装填するためのカセット装填部６が形成されており、テープカセット２１は開閉蓋５を開放した状態でカセット装填部６に着脱可能に装填される。
【００１５】
キー入力部３は、印字する文字列のデータを入力する文字キー、印字開始を指示する印字キー、表示部４の表示画面上のカーソルを移動操作するカーソルキー、入力された文字列の編集処理、各種設定処理、印字処理等に必要な種々の制御キーを備えている。
【００１６】
表示部４は液晶表示装置であり、入力されたデータや各種設定のための選択メニュー画面や処理に関するメッセージなどが表示されると共に、作成されるラベルの長さや印字モードの状態などの各種の情報を表示する。
【００１７】
カセット装填部６内には、印字素子が縦方向に配列され印字テープ３１に印字する印字ヘッド（サーマルヘッド）７と、サーマルヘッド７との間で印字テープ３１及びインクリボン３５を挟んでこれを搬送するプラテンローラ８と、使用したインクリボン３５をテープカセット２１内に巻き取るリボン巻取軸９とを備え、更に、テープカセット２１を所定の位置に支持するためのカセット受部１０やテープカセット２１に嵌合して位置決めをする嵌合軸１１を備えている。また、カセット装填部６の一端部には装置本体２外に通じる排出口１２が形成されており、この排出口１２には、固定刃１３ａと可動刃１３ｂとを備え、モータにより駆動されて印字された印字テープ３１を切断するためのカッタ１３が設けられている。また、カセット受部１０にはテープカセット２１に設けた形状的な特徴部によって動作しそこに保持される印字テープ３１の幅を検出するための複数個のスイッチからなるテープ幅検出スイッチ群１５が設けられている。
【００１８】
一方、テープカセット２１は、上ケース２２ａと下ケース２２ｂを組み合わせて構成したカセットケース２２を備え、このカセットケース２２の内部には、印字テープ３１を巻回したテープコア２３、未使用のインクリボン３５を巻回したリボン供給コア２４、印字に使用済のインクリボン３５を巻き取るリボン巻取コア２５がそれぞれ収納されている。前記印字テープ３１は、印字が行われる印字テープ層と貼着剤層と剥離テープ層の積層構造を有している。この印字テープ３１には幅狭のものと幅広のものがあり、これらの印字テープをそれぞれ収容した２種類のテープカセット２１が用意されている。また、このテープカセット２１のカセットケース２２には、カセット装填部６内にテープカセット２１を装填したときにサーマルヘッド７が配置されるヘッド配置部２７が形成されており、また、カセットケース２２の隅部には、カセット装填部６のカセット受部１０に係合してそれに支持される被係合部２９が形成され、そこにはテープ幅検出スイッチ群１５を選択的に動作させる特徴部が形成されており、前記幅狭と幅広の印字テープ３１を印字装置１側で検出できるようにしている。
【００１９】
テープカセット２１をカセット装填部６に装填して印字開始の指示をすると、印字テープ３１とインクリボン３５とがテープカセット２１から引き出され、重ね合わせた状態でプラテンローラ８とサーマルヘッド７の間に挟まれて共に搬送されると共に、サーマルヘッド７がキー入力部３から入力された印字データに基づいて発熱駆動されてインクリボン３５のインクが印字テープ３１に熱転写されて印字が行われる。印字が終了すると、カッタ１３が駆動されて印字テープ３１の印字された部分がラベルに切り離される。
【００２０】
図３は印字装置の電子回路の構成を示すブロック図である。同図に示すように、この印字装置の電子回路には、ＣＰＵからなる制御部５０が備えられ、制御部５０は、キー入力部３からのキー操作信号に応じてＲＯＭ５１に予め記憶されているシステムプログラムを起動させ、ＲＡＭ５２をワークメモリとして回路各部の動作を制御するもので、この制御部５０には、前記キー入力部３、ＲＯＭ５１、ＲＡＭ５２が接続される他、表示用の文字フォントを格納する表示用フォントＲＯＭ５３、印字用の文字フォントを格納する印字用フォントＲＯＭ５４、サーマルヘッド７を印字データに応じて発熱駆動する駆動回路５５、プラテンローラ８及びリボン巻取軸９を駆動するためのステップモータからなる搬送モータ５６の駆動回路５７、カッタ１３を駆動するためのカッタモータ５８の駆動回路５９が接続され、また入力された文字データなどを表示するための表示部４が接続される。
【００２１】
ＲＯＭ５１には、キー入力部２から入力されたデータを２次元コードのパターンデータに変換するプログラム、２次元コードや文字情報のパターンデータを印字するためのプログラムの他、印字装置１の動作の制御に関するプログラムが記憶されている。また、印字に使用する種々の画像情報が予め記憶されている。
【００２２】
また、ＲＡＭ５２には、キー入力された文字データを記憶する入力データメモリ、入力された文字データや作成された２次元コードのパターンデータに展開されて記憶される印字データメモリ、表示部４に表示されるパターンデータが記憶される表示データメモリの各領域が確保され、印字処理などに必要なデータを一時的に記憶するレジスタやカウンタが設けられている。
【００２３】
本発明の印字装置では、２次元コードとしてのＱＲコードのシンボル画像を作成し、そのシンボル画像を文字情報とを共に印字する所定の印字モードを有している。図４ないし図６はその印字モードによる印字処理を示すフローチャートである。この印字モードによる印字処理がスタートすると、まず、システムの所定のイニシャル処理が行われ、また印字する画像情報の印字サイズ、その画像情報と共に印字する印字属性が初期設定される。ここでは、画像情報としてＱＲコードのコードシンボルを印字するものであり、ＱＲコードが所定のバージョンに決められることによりＱＲコードのコードシンボルの印字サイズが初期設定される。また、ＱＲコードのコードシンボルの画像情報と共に印字する文字情報の印字属性、すなわち、印字文字サイズ、文字間隔及び行間隔などが所定の値に初期設定される（ステップＳ１）。次に、テープ幅検出スイッチ群１５のテープ幅検出情報が読み込まれ、カセット装填部６に装填されているテープカセット２１に保持される印字テープ３１のテープ幅が判別されて、そのテープ幅情報がＲＡＭ５２に設定される。（ステップＳ２）。なお、操作者の入力によりテープ幅の情報を入力指定して設定するようにしてもよい。
【００２４】
次に、２次元コード（ＱＲコード）のコードシンボルの画像情報に変換する文字情報（第１の文字情報）の入力が操作者によって行われる。また、その画像情報と共に印字する文字情報（第２の文字情報）の入力が操作者によって行われる（ステップＳ３）。この第１の文字情報については入力可能な最大の文字数が決められており、第２の文字情報についても入力可能な最大の文字数及び行数が決められている。第１及び第２の文字情報の入力が完了すると、印字テープ３１が幅狭の場合にはラベルの長さを決めるためのテープ長の指定を行うことができ、操作者の指定テープ長の入力によりその指定テープ長のデータがＲＡＭ５２の所定領域に設定される（ステップＳ４）。
【００２５】
次に、操作者のキー入力操作によって印字開始の指示があると（ステップＳ５）、設定されたテープ幅情報に基づいてカセット装填部６に装填されているテープカセット２１の印字テープ３１が幅狭であるか否かが判断され（ステップＳ６）。幅狭のテープであれば、印字テープ３１の長さ方向に沿って第１の文字情報がコード化されたＱＲコードのコードシンボルの画像情報と第２の文字情報を順に配置して印字を行う横配置の印字処理が行われる（ステップＳ７）。また、テープ幅が幅狭ではなく幅広であれば、印字テープ３１の幅方向に第１の文字情報がコード化されたＱＲコードのコードシンボルの画像情報と第２の文字情報を並行に配置して印字を行う縦配置の印字処理が行われる（ステップＳ８）。
【００２６】
以下、ステップＳ７の画像情報と文字情報を横配置で印字する印字処理と、ステップＳ８の画像情報と文字情報を縦配置で印字する印字処理を図５及び図６に基づいて説明する。図５は画像情報と文字情報を横配置にして印字を行う印字処理を示すフローチャートである。まず、初期設定の所定印字サイズのＱＲコードのシンボル画像と、同じく初期設定の所定印字属性の第２の文字情報とが横配置にされた状態で指定されたテープ長に収まるか否かが判断される（ステップＳ７１）。所定印字サイズのＱＲコードのシンボル画像と、所定印字属性の第２の文字情報とが横配置にされた状態で指定されたテープ長に収まる場合（ステップＳ７１のＹＥＳ）、第１の文字情報がＱＲコードに変換されて印字パターン情報が作成される（ステップＳ７２）。そして、そのＱＲコードの印字パターン情報と第２の文字情報の印字パターン情報とを横配置にした印字パターン情報が作成され（ステップＳ７３）、その印字パターン情報によりサーマルヘッド７が駆動されてＱＲコードのコードシンボルの画像情報と第２の文字情報とが印字テープ３１に横配置にして印字される（ステップＳ７４）。
【００２７】
一方、所定印字サイズのＱＲコードのシンボル画像と、所定印字属性の第２の文字情報とが横配置にされた状態で指定されたテープ長に収まらない場合（ステップＳ７１のＮＯ）、ＱＲコードを初期設定のバージョンより小さい所定バージョンの複数のＱＲコードに分割し、分割したＱＲコードを縦配置することにより収まるか否かが判断される（ステップＳ７５）。ＱＲコードを複数個に分割することにより収まる場合（ステップＳ７５のＹＥＳ）、入力された第１の文字情報が複数に分割される（ステップＳ７６）。また、ＱＲコードを複数個に分割するだけでは収まらない場合（ステップＳ７５のＮＯ）、印字領域内に収まるようにするべく、第１の文字情報が複数に分割されるとともに、ＱＲコードと共に印字する第２の文字情報の初期設定の印字文字サイズ及び／又は文字間隔の設定が変更される（ステップＳ７７）。そして、第１の文字情報を分割した複数個の各文字情報がそれぞれＱＲコードのコードシンボルのパターン情報に変換され（ステップＳ７８）、その複数個のＱＲコードのコードシンボルの画像情報を縦配置とし、その複数個のＱＲコードのコードシンボルの画像情報と、設定変更された文字サイズ及び文字間隔に従った第２の文字情報とを横配置にした印字パターン情報が作成され（ステップＳ７９）、その印字パターン情報に基づいてサーマルヘッド７が駆動されて、複数個のＱＲコードのシンボル画像を縦配置とし、それと第２の文字情報とを横配置にして印字テープ３１に印字される（ステップＳ８０）。
【００２８】
図７（ａ）は、初期設定の所定印字サイズのＱＲコードのシンボル画像Ｑ１と、初期設定の所定印字属性の文字情報Ｃとを横配置にして幅狭の印字テープ３１に印字して作成したラベルを示している。この図７（ａ）に示すラベルは、指定されたテープ長の印字領域内にＱＲコードのシンボル画像Ｑ１と文字情報Ｃとが初期設定で横配置にして収まる場合の例であり、図５に示す印字処理のステップＳ７２、Ｓ７３、Ｓ７４の処理によって作成されたものである。
【００２９】
また、図８（ａ）は初期設定の所定印字サイズのＱＲコードのシンボル画像Ｑ１と、初期設定の所定印字属性の文字情報Ｃとを横配置にした場合、指定テープ長からはみ出すことを説明する図であり、この場合には、図８（ｂ）のように、初期設定の印字サイズのＱＲコードのシンボル画像Ｑ１を初期設定のバージョンより小さいバージョンの複数個のＱＲコードに分割し、その複数個のＱＲコードのシンボル画像Ｑ２を縦配置とし、それと初期設定の所定印字属性の文字情報Ｃとを横配置にしてラベルを作成するものである。図５のステップＳ７６、Ｓ７８、Ｓ７９、Ｓ８０がその印字処理を示している。
【００３０】
また、図９（ａ）はＱＲコードのシンボル画像Ｑ１を複数個に分割して縦配置とし、その縦配置したシンボル画像Ｑ１と初期設定の所定印字属性の文字情報Ｃとを横配置にした場合に幅狭のテープの指定テープ長からはみ出すことを説明する図であり、この場合には、図９（ｂ）に示すように、文字情報Ｃの印字文字サイズを初期設定のままとし、文字間隔を小さく設定したり、あるいは図９（ｃ）に示すように、文字情報Ｃの印字文字サイズ及び文字間隔を共に設定変更して指定テープ長に収まるように印字を行うものである。図５のステップＳ７７、Ｓ７８、Ｓ７９、Ｓ８０がその印字処理を示している。
【００３１】
次に、図６は、印字テープが幅広の場合に行われる、画像情報と文字情報を縦配置で印字する印字処理のフローチャートを示している。まず、初期設定の印字サイズのＱＲコードのコードシンボルの画像情報と、同じく初期設定の印字属性の第２の文字情報とが縦配置にされた状態でカセット装填部６に装填されているテープカセット２１の印字テープ３１の幅に収まるか否かが判断される（ステップＳ８１）。所定印字サイズのＱＲコードのシンボル画像と、所定印字属性の第２の文字情報とが縦配置にされた状態でテープ幅に収まる場合（ステップＳ８１のＹＥＳ）、第１の文字情報がＱＲコードのパターン情報に変換され（ステップＳ８２）、そのＱＲコードのパターン情報と第２の文字情報のパターン情報とを縦配置にした印字パターン情報が作成され（ステップＳ８３）、その印字パターン情報によりサーマルヘッド７が駆動されてＱＲコードのコードシンボルの画像情報と第２の文字情報が印字テープ３１に縦配置で印字される（ステップＳ８４）。
【００３２】
一方、所定印字サイズのＱＲコードのシンボル画像と所定印字属性の第２の文字情報とが縦配置にされた状態でテープ幅に収まらない場合（ステップＳ８１のＮＯ）、ＱＲコードを初期設定のバージョンより小さい所定バージョンの複数のＱＲコードに分割し、分割したＱＲコードを横配置することにより収まるか否かが判断される（ステップＳ８５）。ＱＲコードを分割することにより収まる場合（ステップＳ８５のＹＥＳ）、入力された第１の文字情報が複数に分割され（ステップＳ８６）。また、ＱＲコードを分割するだけでは収まらない場合（ステップＳ８５のＮＯ）、印字領域内に収まるようにするべく、第１の文字情報が複数に分割されるとともに、ＱＲコードと共に印字する第２の文字情報の初期設定の印字文字サイズ及び／又は行間隔の設定が変更される（ステップＳ８７）。そして、第１の文字情報を分割した複数個の各文字情報がそれぞれＱＲコードのコードシンボルのパターン情報に変換され（ステップＳ８８）、その複数個のＱＲコードのコードシンボルの画像情報を縦配置とし、その複数個のＱＲコードのコードシンボルの画像情報と、設定変更された印字文字サイズ及び行間隔に従った第２の文字情報とを縦配置にした印字パターン情報が作成され（ステップＳ８９）、その印字パターン情報に基づいてサーマルヘッド７が駆動されて、複数個のＱＲコードのコードシンボルの画像情報を横配置とし、それと第２の文字情報とを縦配置にして印字テープ３１に印字される（ステップＳ９０）。
【００３３】
図７（ｂ）は、初期設定の印字サイズのＱＲコードのコードシンボルの画像情報Ｑ１と、初期設定の印字属性の文字情報Ｃとを縦配置にして印字テープ３１に印字して作成したラベルを示している。この図７（ｂ）に示すラベルは、カセット装填部６に装填された幅広テープのテープカセット２１のテープ幅内に初期設定の印字サイズのＱＲコードのコードシンボルの画像情報Ｑ１と初期設定の印字属性の文字情報Ｃとが縦配置にして収まる場合の例であり、図６に示す印字処理のステップＳ８２、Ｓ８３、Ｓ８４の処理によって作成されたものである。
【００３４】
また、図１０（ａ）は初期設定の印字サイズのＱＲコードのコードシンボルの画像情報Ｑ１と、初期設定の印字属性の文字情報Ｃとを縦配置にした場合、幅広テープの幅からはみ出すことを説明する図であり、この場合には、図１０（ｂ）のように、ＱＲコードのコードシンボルの画像情報Ｑ１を複数個に分割し、その複数個のコードシンボルの画像情報Ｑ２を横配置とし、それと初期設定の印字属性の文字情報とを縦配置にしてラベルを作成するものである。図６のステップＳ８６、Ｓ８８、Ｓ８９、Ｓ９０がその印字処理を示している。
【００３５】
更に、図１１（ａ）は、ＱＲコードのシンボル画像Ｑ１を複数個に分割し、その分割したコードシンボルの画像情報Ｑ２を横配置にしても、初期設定の印字属性の文字情報Ｃと横配置にした場合に幅広テープの幅からはみ出す場合に、初期設定の印字属性の文字情報Ｃの印字文字サイズ及び行間隔を設定変更したものを示している。また、図１１（ｂ）は、行数を変更することによりテープ幅に文字情報が収まるようにした例を示している。この場合は、図１１（ａ）に示すように、入力された第２の文字情報は５行によって構成されているが、その第４行目に第５行目を続けて全体を４行に行数変更することによりテープ幅に文字情報Ｃが収まるようにしている。図６のステップＳ８７、Ｓ８８、Ｓ８９、Ｓ９０がその印字処理を示している。
【００３６】
なお、図１２のように、ＱＲコードのシンボル画像に代えて写真画像などと画像情報Ｐと文字情報Ｃとを組み合わせるようにしてもよい。
【００３７】
本実施の形態の印字装置によれば、カセット装填部６に装填されたテープカセット２１に保持される印字テープ３１のテープ幅情報がテープ幅検出スイッチ群１５によって検出され、幅狭テープが装填されていると判断された場合には、第１の文字情報をコード化した所定印字サイズのＱＲコードのコードシンボルの画像情報と所定印字属性の第２の文字情報とが幅狭の印字テープ３１の長さ方向に沿って順に並べられた横配置にして印字テープ３１に印字され、幅広テープが装填されていると判断された場合には、第１の文字情報をコード化した所定印字サイズのＱＲコードのコードシンボルの画像情報と所定印字属性の第２の文字情報とが幅広の印字テープ３１の幅方向に並行して並べられた縦配置にして印字テープ３１に印字される。したがって、操作者が面倒な手間や作業を必要とせずに、印字領域内に無駄なスペースを生じさせずにバランスよく画像情報と文字情報を配置することができ、見栄えのよいラベルを作成することができる。
【００３８】
また、幅狭テープの印字領域のサイズ内に所定印字サイズのＱＲコードのコードシンボルの画像情報と所定印字属性の第２の文字情報が横配置方向に収まらない場合には、第１の文字情報が複数に分割されて複数個のＱＲコードのコードシンボルに変換され、その複数個のコードシンボルの画像情報が縦配置されて印字長さが調整され、また、幅広テープの印字領域のサイズ内に所定印字サイズのＱＲコードのコードシンボルの画像情報と所定印字属性の第２の文字情報が縦配置方向に収まらない場合には、第１の文字情報が複数に分割されて複数個のＱＲコードのコードシンボルに変換され、その複数個のコードシンボルの画像情報が横配置されて印字長さが調整される。更に、ＱＲコードの分割によっても印字領域内に収まらない場合、第２の文字情報の印字属性の設定を変更して印字領域内に収まるように印字が行われる。したがって、操作者が面倒な手間や作業を必要とせずに、印字領域内に無駄なスペースを生じさせずにバランスよく画像情報と文字情報を配置することができ、見栄えのよいラベルを作成することができる。
【図面の簡単な説明】
【００３９】
【図１】本発明の実施形態に係る印字装置の平面図。
【図２】その印字装置の要部及びテープカセットの斜視図。
【図３】その印字装置の電子回路のブロック図。
【図４】その印字装置の印字処理のフローチャート。
【図５】その印字装置の印字処理のフローチャート。
【図６】その印字装置の印字処理のフローチャート。
【図７】その印字装置の印字処理による印字例の説明図。
【図８】その印字装置の印字処理による他の印字例の説明図。
【図９】その印字装置の印字処理による更に他の印字例の説明図。
【図１０】その印字装置の印字処理による更に他の印字例の説明図。
【図１１】その印字装置の印字処理による更に他の印字例の説明図。
【図１２】その印字装置の印字処理による更に他の印字例の説明図。
【符号の説明】
【００４０】
１…印字装置
２…装置本体
３…キー入力部
４…表示部
６…カセット装填部
７…サーマルヘッド
８…プラテンローラ
９…リボン巻取軸
１３…カッタ
１５…テープ幅検出スイッチ群
２１…テープカセット
３１…印字テープ
３５…インクリボン
５０…制御部
５１…ＲＯＭ
５２…ＲＡＭ
Ｑ１、Ｑ２…ＱＲコードのコードシンボル
Ｃ…文字
【図１】
2007253546.tif 000003
【図２】
2007253546.tif 000004
【図３】
2007253546.tif 000005
【図４】
2007253546.tif 000006
【図５】
2007253546.tif 000007
【図６】
2007253546.tif 000008
【図７】
2007253546.tif 000009
【図８】
2007253546.tif 000010
【図９】
2007253546.tif 000011
【図１０】
2007253546.tif 000012
【図１１】
2007253546.tif 000013
【図１２】
2007253546.tif 000014